(57)【要約】【課題】中方立てをねじ等の固定部材で床面に固定する場合、固定部材の頭部が露出されず美観にすぐれ、かつ引き戸の厚さ方向の強度にもすぐれた中方立て固定構造を提供する。【解決手段】引き戸６をスライド可能に保持する引き戸枠１の中間部で、上下方向に配設され、中方立て本体１１の引き戸６側の側部に形成された縦溝１１ａに隙間遮断部材１２を装着してなる中方立て１０を、床面に固定する中方立て固定構造において、ねじ等の固定部材７を縦溝１１ａの底部１１ａａの下端付近から床面に向けて斜め下方に打ち込んで、中方立て本体１１を床面に固定し、固定された中方立て本体１１に隙間遮断部材１２を装着している。【選択図】図１
2010270562.tif 000002
【特許請求の範囲】
【請求項１】
引き戸をスライド可能に保持する引き戸枠の中間部で、上下方向に配設され、中方立て本体の引き戸側の側部に形成された縦溝に隙間遮断部材を装着してなる中方立てを、床面に固定する中方立て固定構造において、
ねじ等の固定部材を上記縦溝の底部の下端付近から床面に向けて斜め下方に打ち込んで、上記中方立て本体を床面に固定し、該固定された中方立て本体に上記隙間遮断部材を装着したことを特徴とする中方立て固定構造。
【請求項２】
請求項１において、
上記中方立て本体は、下端の凹所に、固定部材打ち込み用の誘導穴部が開設された樹脂ブロック材を嵌着、固定して形成されている中方立て固定構造。
【請求項３】
請求項２に記載された中方立て固定構造に使用される中方立て。
【発明の詳細な説明】
【技術分野】
【０００１】
本発明は、引き戸をスライド可能に保持する引き戸枠の中間部で、上下方向に配設される中方立ての床面への固定構造および中方立てに関する。
【背景技術】
【０００２】
一般に、建物の引き戸枠１０１は、壁等に開設された引き戸用の開口の枠部として配設され、図７（ａ）に示すように、上下横枠１０２、１０３、左右縦枠１０４、１０５を備えるとともに、横方向の中間部で上下に配設される中方立て１１０を備えている。
【０００３】
この中方立て１１０は、引き戸１０６側の側部に縦溝１１１ａを有した中方立て本体１１１と、その縦溝１１１ａに装着される隙間遮断部材１１２とを備えた構造とされる。この隙間遮断部材１１２は、中方立て本体１１１と引き戸１０６の戸板面との間にできる、引き戸１０６の走行性を確保するための隙間を、走行性を落とすことなく、光の洩れや隙間風の侵入を防止するために塞ぐもので、少なくとも隙間遮断部材１１２の引き戸１０６側の側部には、例えばモヘアなどの軟質繊維材１１２ａが備えられている。
【０００４】
このような隙間遮断部材１１２を有した中方立て１１０の構造として、従来には、特許文献１の技術が開示されている。
【先行技術文献】
【特許文献】
【０００５】
【特許文献１】特開２００７−２３９２７７号公報
【発明の概要】
【発明が解決しようとする課題】
【０００６】
ところで、このような中方立て１１０は、上下の横枠１０２、１０３、左右の縦枠１０４、１０５を固定した後に、中央位置に立設され、その下端部は、図７（ａ）の矢印Ｚで示すように、ねじまたは釘等の固定部材１０７を、中方立て１１０の一方の（下横枠１０３の幅狭部１０３ａ側の）側面の下端付近より斜め下方に打ち込んで床面に固定される。その場合、中方立て１１０および下横枠１０３を個別に取り外しできるように、中方立て１１０を下横枠１０３に連結させることなく固定することが通例となっている。
【０００７】
ところが、中方立て１１０を側面からの固定部材１０７の打ち込みで固定した場合、ねじ頭が外観上露出されるため、美観はよくない。また、側面から引き戸走行方向への打ち込みなので、引き戸走行にともなって引き戸より伝わる力に対する強度が弱くなるし、引き戸１０６の走行による左右ずれ（回転ずれ）などが起こるおそれもある。また、美観を考慮して、寸法の大きな側面に対して１箇所のみで固定する構造であったため、全体としての固定強度も弱かった。
【０００８】
中方立て１１０の下端部を側面より複数個所でねじ止めすれば固定強度は増すが、美観はますます悪くなるし、作業手間もかかるため、従来では、そのような固定手法は採用されていなかった。
【０００９】
また、側面からの固定部材の打ち込みを行うと、打ち込み方向を誤って、下横枠までにも固定部材を貫通させて、中方立てと下横枠とを結合させて床面に固定してしまうおそれもあった。
【００１０】
さらに、中方立て１１０を、図例のものとは反対の（下横枠１０３の幅広部１０３ｂ側の）側面より打ち込み固定し、その後、下横枠１０３を固定する方法をとれば、打ち込み位置によってはねじ頭は下横枠１０３によって隠されるし、中方立て１１０のねじ固定によって下横枠１０３と連結されるおそれは全くないが、そのような固定方法では中方立ての位置決めができないため、そのような手法を採用することはできない。
【００１１】
本発明は、このような事情を考慮して提案されたもので、その目的は、中方立てをねじ等の固定部材で床面に固定する場合、固定部材の頭部が露出されず美観にすぐれ、かつ固定強度にもすぐれた中方立て固定構造を提供することにある。
【課題を解決するための手段】
【００１２】
上記目的を達成するために、本発明の中方立て固定構造は、引き戸をスライド可能に保持する引き戸枠の中間部で、上下方向に配設され、中方立て本体の引き戸側の側部に形成された縦溝に隙間遮断部材を装着してなる中方立てを、床面に固定する中方立て固定構造において、ねじ等の固定部材を縦溝の底部の下端付近から床面に向けて斜め下方に打ち込んで、中方立て本体を床面に固定し、該固定された中方立て本体に隙間遮断部材を装着したことを特徴とする。
【００１３】
請求項２に記載された中方立て固定構造では、中方立て本体は、下端の凹所に、固定部材打ち込み用の誘導穴部が開設された樹脂ブロック材を嵌着、固定して形成されている。
【００１４】
請求項３に記載された中方立ては、請求項２に記載された中方立て固定構造に使用されるものである。
【発明の効果】
【００１５】
請求項１〜３に記載された本発明によれば、ねじ等の固定部材を縦溝の底部の下端付近から床面に向けて斜め下方に打ち込んで、中方立て本体を床面に固定する構造となっているため、その後、その縦溝に隙間遮断部材すれば、下端付近に打ち込んだ固定部材の頭部は隙間遮断部材によって隠され、そのため美観が悪くなることはない。また、固定部材の打ち込み方向が引き戸走行方向に直交する方向であるため、引き戸走行にともなって引き戸より伝わる力に対する固定強度は向上する。
【００１６】
さらに、固定部材は縦溝の底部から斜め下方に打ち込むので、誤ってねじが下横枠を貫通するおそれはほとんどなく、確実に、中方立てを誤って下横枠と連結させることなく、個別に床面に固定することができる。
【００１７】
また、請求項２、３に記載の本発明によれば、中方立て本体の下端の凹所に、固定部材打ち込み用の誘導穴部が開設された樹脂ブロック材を嵌着、固定して中方立て本体が形成されているため、ねじ等の固定部材を確実に見込み方向に正しく打ち込むことができ、また固定部材の打ち込みもしやすく、作業手間の軽減が図れる。
【図面の簡単な説明】
【００１８】
【図１】本発明の中方立て固定構造の実施形態の説明図で、（ａ）は引き戸枠の斜視図であり、（ｂ）は中方立て本体の床面への固定構造を示す部分斜視図である。
【図２】同引き戸枠を図１とは反対の方向から見た斜視図である。
【図３】同引き戸枠の概略横断面図である。
【図４】（ａ）は中方立ての分解部分破断正面図、（ｂ）は同分解底面図である。
【図５】（ａ）は図４（ａ）の破断部の拡大図、（ｂ）は樹脂ブロック材を図５（ａ）の矢印Ａ方向から見た図である。
【図６】（ａ）、（ｂ）は樹脂ブロック材の他例を示す説明図である。
【図７】従来の中方立て固定構造の説明図で、（ａ）は引き戸枠の斜視図であり、（ｂ）は中方立て本体の床面への固定構造を示す横断面図である。
【発明を実施するための形態】
【００１９】
以下に、本発明の実施の形態について、添付図面を参照しながら説明する。
【００２０】
図１は、本発明の中方立て固定構造の実施形態の説明図で、図１（ａ）は引き戸枠の斜視図であり、図１（ｂ）は中方立て本体の床面への固定構造を示す部分斜視図（図１（ａ）のＸ部分に相当）である。図２は同引き戸枠を図１とは反対の方向から見た斜視図である。図３は、同引き戸枠の横断面図である。図４（ａ）は中方立ての分解部分破断正面図、（ｂ）は同分解底面図である。図５（ａ）は図４（ａ）の破断部の拡大図、図５（ｂ）は樹脂ブロック材を図５（ａ）の矢印Ａ方向から見た図である。
【００２１】
引き戸枠１は、木質材等よりなり、壁等に開設された引き戸６用の開口の枠部として配設され、図１〜図３に示すように、上下の横枠２、３、左右の縦枠を備えるとともに、横方向の中間部で上下に配設される中方立て１０を備えている。なお以下では、左右の縦枠について、図１における左のものを幅狭縦枠４、右のものを幅広縦枠５という。なお、中方立て１０を含む引き戸枠１は、アルミ等の金属材で構成されていてよい。
【００２２】
この引き戸枠１は、上横枠２と下横枠３の左右両端部をそれぞれ、幅狭縦枠４と幅広縦枠５で連結し、上横枠２と下横枠３のほぼ全長にわたって引き戸６が摺動（走行）可能に嵌合される走行溝（下横枠３の走行溝３ｂのみを図示）が形成されている。
【００２３】
上下横枠２、３は、幅狭縦枠４との連結端部から中央までを、幅狭縦枠４の幅に合わせて切り欠かれており、その切欠き２ａ、３ａのうちの、幅広部２ｂ、３ｂに隣接する位置に、上下端部が配されるように中方立て１０が配設されている。
【００２４】
なお、図３に示した概略横断面図における、符号７および８は引き戸枠１の近傍の中空壁を構成する柱および面材である。
【００２５】
このように引き戸枠１の中央に配される中方立て１０は、引き戸６側の側部に縦溝１１ａを有した中方立て本体１１と、その縦溝１１ａに装着される隙間遮断部材１２とより構成されている（図４参照）。この隙間遮断部材１２は、中方立て本体１１と引き戸６の戸板面との間にできる、引き戸６の走行性を確保するための隙間を、走行性を落とすことなく、光の洩れや隙間風の侵入を防止するために塞ぐもので、少なくとも隙間遮断部材１２の本体１２ａの引き戸６側の側部には、例えばモヘアなどの軟質繊維材１２ｂが装着されている。
【００２６】
まず中方立て本体１１が、すでに固定されている上下横枠２、３の既述の中央位置に配され、その状態で、まだ隙間遮断部材１２が装着されていない縦溝１１ａの底部１１ａａの下端付近から床面に向けて斜め下方（矢印Ｙの方向）にねじ等の固定部材９を打ち込んで、床面に固定される（図１（ｂ）参照）。
【００２７】
そして次に、その固定された中方立て本体１１の縦溝１１ａに隙間遮断部材１２を装着して、中方立て１０の取り付けが完了する（図４参照）。なお、隙間遮断部材１２の縦溝１１ａへの装着は、接着剤等で固着するか、突出具合調節が可能なように取り付けることが望ましい。
【００２８】
このように、縦溝１１ａの底部１１ａａより固定部材９を斜め下方に打ち込んで、中方立て本体１１を床面に固定する構造であるため、固定部材９の頭部は床面に固定した後で装着される隙間遮断部材１２によって隠される。そのため、美観が悪くなるおそれはない。
【００２９】
また、固定部材９を縦溝１１ａの底部１１ａａに、縦溝１１ａの掘り込み方向（見込み方向、引き戸の厚さ方向）に打ち込むので、引き戸６の走行にともなって引き戸より伝わる力に対して強く、例えば引き戸６の走行によって中方立て本体１１が回転ずれを起こすおそれはない。また、固定部材９は１つのものを１箇所に打ち込むが、寸法の小さな見込み方向の側部から、寸法の大きな両側面の方向（見込み方向）に沿って打ち込む構造であるため、見込み方向も含めて種々の方向に対する強度が得られる。なお、縦溝１１ａの底部１１ａａから複数の固定部材９を打ち込んでもよい。
【００３０】
さらに、固定部材９は見込み方向の斜め下方に向けて打ち込むので、引き戸６走行方向の両側面に平行に打ち込めば、ねじが下横枠３を貫通することはなく、中方立て１０を下横枠３に連結させてしまうことなく、個別に床面に固定できる。
【００３１】
なお、中方立て本体１１を金属材で構成する場合には、縦溝１１ａの底部１１ａａに挿入口が形成され、固定部材の貫通を誘導できるようにした誘導穴部を予め形成しておくことが望ましいが、本実施形態の図４および図５に示すように、固定部材を打ち込む中方立て１０の下端部を別部材で構成することが望ましい。
【００３２】
別部材を含んで構成された中方立て本体１０の下端部構造を、図４および図５を参照しながら説明する。
【００３３】
中方立て本体１１は、下端に凹所１１ｂが形成されており、その凹所１１ｂに樹脂ブロック材１１ｄを、ダボ接合、接着剤接合等により嵌着、固定して一体化されている。
【００３４】
この樹脂ブロック材１１ｄは、硬質樹脂よりなり、固定部材９打ち込み用の誘導穴部１１ｄａが開設されている。この誘導穴部１１ｄａは、貫通孔であり、縦溝１１ａの底部１１ａａに固定部材９の挿入口１１ｄａａがあり、床面側に出口１１ｄａｂがある。
【００３５】
このように誘導穴部１１ｄａが開設されているため、固定部材９を打ち込みやすく、かつ、正しい位置に打ち込むことができ、現場での施工時間の短縮化が図れるし、下横枠３に固定部材９が貫通することがなく、ミスをなくすことができる。
【００３６】
特に、樹脂ブロック材１１ｄを除く中方立て本体１１が金属材で製されている場合には、このような樹脂ブロック材１１ｄを中方立て本体１１に装着しておくことで、現場作業を格段にたやすく行うことができる。
【００３７】
また、誘導穴部１１ｄａとしては、図６（ａ）に示すような有底穴でもよいし、打ち込み方向のみを誘導できる程度のものでもよい。また、図６（ｂ）に示すように、ねじ等で中方立て本体の木質部１１ｃを貫通させて、樹脂ブロック材１１ｄの木質部１１ｃとの連結性が強化できるような誘導穴部１１ｄａであってもよい。
【００３８】
以上では、中方立て１０の床面に対する下端固定構造を説明したが、上端についても同様に、縦溝１１ａの底部１１ａａより固定部材を斜め上方に打ち込んで天井部に固定することができる。
【符号の説明】
【００３９】
１      引き戸枠
６      引き戸
９      ねじ等の固定部材
１０      中方立て
１１      中方立て本体
１１ａ      縦溝
１１ａａ      底部
１１ｂ      凹所
１１ｃ      木質部
１１ｄ      樹脂ブロック材
１１ｄａ      誘導穴部
１２      隙間遮断部材
１２ａ      本体
１２ｂ      軟質繊維材
【図１】
2010270562.tif 000003
【図２】
2010270562.tif 000004
【図３】
2010270562.tif 000005
【図４】
2010270562.tif 000006
【図５】
2010270562.tif 000007
【図６】
2010270562.tif 000008
【図７】
2010270562.tif 000009